(57)【要約】【課題】落し棒を任意の下降位置で施錠可能とするとともに、落し棒の施錠時および解錠時等における操作が非常に簡単で済む上げ落し錠を提供する。【解決手段】上下方向に沿って第１噛合部２ｃ、２ｄが形成されたベース２と、前記ベース２に沿って移動可能とされると共に第２噛合部７ｄ、７ｅが形成され、かつ下端側に落し棒４を備えたスライダー３と、前記スライダー３と連結された摘み部材５とからなり、前記摘み部材５は前記スライダー３と連結部材６を介して連結された第１摘み部材８と、前記ベース２と第１摘み部材８との間に配設されたスライド可能な第２摘み部材９からなり、前記第２摘み部材９の第１摘み部材対向面側に乗上げ段部９ｄ〜９ｆが形成され、該第２摘み部材９を上下方向にスライドさせ前記乗上げ段部９ｄ〜９ｆを第１摘み部材８側に潜入させることにより前記スライダー３をベース２側に引寄せ、ベース２の第１噛合部２ｃ、２ｄに対し噛合させ移動不能の状態に固定する。【選択図】　図３
2004027621.tif 000002
【特許請求の範囲】
【請求項１】
上下方向に移動可能な落し棒を備え、前記落し棒を下降位置で受け部材に係合させることにより、施錠を成すようにした上げ落し錠であって、前記上げ落し錠は、前記扉類に固定されるとともに、一方面側に上下方向に沿って第１噛合部が形成されたベースと、前記ベースの一方面側に配設され上下方向に沿って移動可能とされるとともに、前記ベースへの対向面側に第２噛合部が形成され、かつ下端側に前記落し棒を一体的に備えるスライダーと、前記ベースの他方面側に配設されるとともに、前記スライダーと連結された摘み部材とからなり、
前記摘み部材は、前記スライダーと連結部材を介して連結された第１摘み部材と、前記ベースと第１摘み部材との間に配設され上下方向に所定範囲でスライド可能とされる第２摘み部材とからなり、少なくとも前記第２摘み部材の第１摘み部材対向面側に乗上げ段部が形成され、該第２摘み部材を上下方向にスライドさせ前記乗上げ段部を第１摘み部材側に潜入させることにより第１摘み部材をスライダーから離間する方向に移動させると共に、前記スライダーをベース側に引寄せ、スライダーの第２噛合部をベースの第１噛合部に対して噛合させ、スライダーを移動不能の状態に固定するようにしたことを特徴とする上げ落し錠。
【請求項２】
前記第２摘み部材は下方向にスライドさせた際、前記乗上げ段部を第１摘み部材側に潜入させるようにしてある請求項１記載の上げ落し錠。
【請求項３】
前記ベースに上下方向に沿ってスリット状の孔部が形成され、前記スライダーと摘み部材とを連結する連結部材が前記スリット状の孔部を貫いて配設されている請求項１、２いずれかに記載の上げ落し錠。
【請求項４】
前記スライダー内部に、付勢力によってベースの一方面から若干離間するとともに、前記ベースへの対向面側に第２噛合部が形成された施錠用ブロックが内設され、この施錠ブロックと前記摘み部材とが連結部材により連結されている請求項１〜３いずれかに記載の上げ落し錠。
【請求項５】
前記ベースの上部位置および前記摘み部材とにそれぞれ係合部を形成し、前記摘み部を上方に引き上げた際、両者の係合によってスライダーを上部位置に保持するようにしてある請求項１〜４いずれかに記載の上げ落し錠。
【発明の詳細な説明】
【０００１】
【発明の属する技術分野】
本発明は、門扉、ガレージ用扉等に使用される上げ落し錠に係り、詳しくは外部から解錠されないように落し棒のロック機能（施錠）を備えるとともに、施錠操作および解錠操作が簡単に行えるようにした上げ落し錠に関する。
【０００２】
【従来の技術】
例えば、両開き式門扉においては、通常、一方側の門扉のみを開閉自在とし、他方側の門扉は開閉不能に固定しておくため、或いは横引き式のガレージ用扉を閉めた状態で施錠するために上げ落し錠が用いられている。この場合、前記門扉等は一般的に、地面にある小石等に接触することを防ぐために、門扉の下縁と地面との間には手が入る程度の隙間を設けるようにしてある。そのため、門扉と地面との間の隙間から手や工具により落し棒を掴むことが可能であるため、外部から落し棒を上昇させて落し棒と受け部材との係合状態を解き、落し錠を解錠できてしまうなどの問題があった。また、落し棒の出しろを固定した場合、扉と地面との間隔が個々の施工場所毎にまちまちであるため、汎用性に欠けるなどの問題もあった。
【０００３】
このような問題に対処するため、特開平９−１５８５８０号公報では、図８に示されるように、扉類に固定する基板５１と、ロック棒５２を保持して基板５１に対して摺動するブロック５３との両接合面に咬合部５４、５５を形成しておき、前記ロック棒５２を下降させ下端部を地盤又は床面に埋設された受け部材に嵌合させたならばレバー５６の回動操作により前記ブロック５３を基板５１側に引寄せ、基板５１の咬合部５５と噛み合わせることによりロック棒５２を上下動不能に固定し、解除時には前記レバー５６を反対方向に回動させることにより前記ブロック５３を基板５１から引き離し、前記ロック棒５２を上昇操作可能とした上げ落とし錠５０が開示されている。
【０００４】
【発明が解決しようとする課題】
しかしながら、前述の上げ落とし錠５０の場合には、ロック棒５２を下降し施錠を図る際、解錠する際、そして上昇位置で固定する際など、ロック棒５２の移動時および固定時のすべての操作毎にレバー５６の回動操作を要するため、操作が非常に煩雑であるなどの問題があった。
【０００５】
そこで本発明の主たる課題は、落し棒を任意の下降位置で施錠可能とするとともに、落し棒の施錠時及び／又は解錠時等における操作が非常に簡単で済む上げ落し錠を提供することにある。
【０００６】
【課題を解決するための手段】
前記課題を解決するための請求項１に係る発明として、上下方向に移動可能な落し棒を備え、前記落し棒を下降位置で受け部材に係合させることにより、施錠を成すようにした上げ落し錠であって、
前記上げ落し錠は、前記扉類に固定されるとともに、一方面側に上下方向に沿って第１噛合部が形成されたベースと、前記ベースの一方面側に配設され上下方向に沿って移動可能とされるとともに、前記ベースへの対向面側に第２噛合部が形成され、かつ下端側に前記落し棒を一体的に備えるスライダーと、前記ベースの他方面側に配設されるとともに、前記スライダーと連結された摘み部材とからなり、
前記摘み部材は、前記スライダーと連結部材を介して連結された第１摘み部材と、前記ベースと第１摘み部材との間に配設され上下方向に所定範囲でスライド可能とされる第２摘み部材とからなり、少なくとも前記第２摘み部材の第１摘み部材対向面側に乗上げ段部が形成され、該第２摘み部材を上下方向にスライドさせ前記乗上げ段部を第１摘み部材側に潜入させることにより第１摘み部材をスライダーから離間する方向に移動させると共に、前記スライダーをベース側に引寄せ、スライダーの第２噛合部をベースの第１噛合部に対して噛合させ、スライダーを移動不能の状態に固定するようにしたことを特徴とする上げ落し錠が提供される。
【０００７】
上記請求項１に係る発明においては、前記ベースに形成された第１噛合部と、スライダーに形成された第２噛合部との噛合操作を行う摘み部材の構造に関し、前記スライダーと連結部材を介して連結された第１摘み部材と、前記ベースと第１摘み部材との間に配設され上下方向に所定範囲でスライド可能とされる第２摘み部材とから構成するようにし、かつ前記第２摘み部材の第１摘み部材対向面側に乗上げ段部が形成され、該第２摘み部材に形成された乗上げ段部を第１摘み部材側に潜入させることにより第１摘み部材をスライダーから離間する方向に移動させると共に、前記スライダーをベース側に引寄せ、スライダーの第２噛合部をベースの第１噛合部に対して噛合させるようにした。従って、落し棒を任意の下降位置で施錠可能になるとともに、操作が簡単なスライド操作によって上げ落し錠の施錠／解錠操作が行えるようになる。
【０００８】
請求項２に係る発明として、前記第２摘み部材は下方向にスライドさせた際、前記乗上げ段部を第１摘み部材側に潜入させるようにしてある請求項１記載の上げ落し錠が提供される。
【０００９】
特に上記請求項２記載の発明の場合は、後述するように、上げ落し錠を施錠する際は前記第２摘み部材を単に下降操作するだけで施錠が行え、解錠する際は前記第２摘み部材を単に上昇操作するだけで解錠が行えるようになる。
【００１０】
請求項３に係る発明として、前記ベースに上下方向に沿ってスリット状の孔部が形成され、前記スライダーと摘み部材とを連結する連結部材が前記スリット状の孔部を貫いて配設されている請求項１、２いずれかに記載の上げ落し錠が提供される。
【００１１】
請求項４に係る発明として、前記スライダー内部に、付勢力によってベースの一方面から若干離間するとともに、前記ベースへの対向面側に第２噛合部が形成された施錠用ブロックが内設され、この施錠ブロックと前記摘み部材とが連結部材により連結されている請求項１〜３いずれかに記載の上げ落し錠が提供される。スライダー本体をベースに引き寄せるようにしても良いが、請求項４記載の発明のように、前記施錠ブロックを別途内設することにより、スライダーの上下移動が円滑に行えるとともに、施錠時にはきっちりと施錠ブロックをベースに対して噛合できるようになる。
【００１２】
請求項５に係る発明として、前記ベースの上部位置および前記摘み部材とにそれぞれ係合部を形成し、前記摘み部を上方に引き上げた際、両者の係合によってスライダーを上部位置に保持するようにしてある請求項１〜４いずれかに記載の上げ落し錠が提供される。前記摘み部材の操作によってスライダーを噛合させた状態で上昇位置に固定することもできるが、請求項５記載の発明のように、摘み部材を引き上げた際に、自動的にベースに係合しその位置に保持できるようにすれば、操作がより簡便となる。
【００１３】
【発明の実施の形態】
以下、本発明の実施の形態について図面を参照しながら詳述する。
図１は両開き式門扉３０への適用例図、図２は本発明に係る上げ落し錠１の全体斜視図、図３はその縦断面図、図４は図３のＩＶ−ＩＶ線矢視図、図５は図３のＶ−Ｖ線矢視図である。
【００１４】
図１は、両開き式門扉３０に対する適用例を示したものである。両開き式門扉３０では、通常、一方側の門扉３０Ａのみを開閉自在とし、他方側の門扉３０Ｂは開閉不能に固定しておくために戸先下端部に本発明に係る上げ落し錠１が用いられる。この上げ落し錠１は、上下移動可能な落し棒４を備え、地面側に埋設された受け皿（受け部材）３３に前記落し棒４の下端が嵌合することにより、或いは落し棒４の下端が直接、地面に当接することにより、門扉３０Ｂを開閉不能に保持するようになっている。
【００１５】
前記上げ落し錠１は、詳細には図２に示されるように、平常時は閉鎖される他方側門扉３０Ｂに固定されるとともに、一方面側（内側）に上下方向に沿って第１噛合部２ｃ、２ｄが形成されたベース２と、前記ベース２の一方面側（内側）に配設され上下方向に沿って移動可能とされるとともに、前記ベース２への対向面側に第２噛合部７ｄ、７ｅが形成され、かつ下端側に前記落し棒４を一体的に備えるスライダー３と、前記ベース２の他方面側（外側）に配設されるとともに、前記スライダー３に対してベース２を跨いで連結された摘み部材５とから構成されている。
【００１６】
以下、具体的に詳述すると、
前記ベース２は、図３に示されるように、他方面側（外側）に部材長手方向に沿って凹状部２ａが形成された横断面略コ字状の部材で、正面壁の中央には部材長手方向に沿ってスリット状孔２ｂが形成されるとともに、一方側面（内側）には前記スリット状孔２ｂを跨ぐ両側であって、かつほぼ前記スリット状孔２ｂの形成範囲に亘り部材長手方向に沿って第１噛合部２ｃ、２ｄが形成されている。前記第１噛合部２ｃ、２ｄは、例えば図示のような鋸歯状であっても良いし、或いは格子形、菱形、七子目、ダイヤモンド形等の任意の刻み目を付した凹凸面等とすることができる。要は、後述の施錠ブロック７に形成された第２噛合部７ｄ、７ｅを噛み合うことによってスライダー３を移動不能に保持し得るものであればよい。
【００１７】
前記ベース２の上下部にはそれぞれビス孔２ｅ、２ｆが形成されており、門扉３０Ｂの戸先側縦方向部材の内部に配設され、前記戸先側縦方向部材の側面に形成された開口部１ｃにベース２をあてがい、ベース２の凹条部２ａを外部に臨ませた状態で戸先側縦方向部材を貫いて外側から螺入させたビス２０，２０によって固定されるようになっている。
【００１８】
前記ベース２の一方面側（内側面）には、上下方向に沿って移動可能とされるスライダー３が配設されている。このスライダー３は、上端部に位置し前記ベース２に対して一部が接触し摺動するとともに、スライダー３の施錠を成す施錠部３Ａと、前記施錠部３Ａより下方側に一体的に連設された縦方向に長いスライダー本体部３Ｂと、このスライダー本体３Ｂの下端に連設された落し棒４とから構成されている。前記施錠部３Ａは、詳細には図６に示されるように、内外方向に貫通する開口部３ａが形成され、この開口部３ａ内に施錠ブロック７が内設されている。前記施錠ブロック７は、上下部にそれぞれバネ支持部７ａ、７ｂを備えるとともに、中央部に貫通孔７ｃが形成され、かつベース２への対向面側に前記第１噛合部２ｃ、２ｄに対応する第２噛合部７ｄ、７ｅが形成された部材で、前記施錠部３Ａの外側部分（ベース側）に前記バネ支持部７ａ、７ｂに対面するようにバネ受け部３ｃ、３ｄが設けられ、前記バネ支持部７ａ、７ｂとバネ受け部３ｃ、３ｄとの間に介在されたバネ部材１０、１０等の付勢手段によって内側方向に付勢された状態で内設されている。なお、前記開口部３ａの内側寄り部分には前記施錠ブロック７が抜け出ないように保持するストッパー係止部３ｂが両側に夫々形成されている。
【００１９】
また、前記施錠ブロック７の貫通孔７ｃには外側方向に突出する連結部材６が固定され、この連結部材６がベース２のスリット孔２ｂを貫き、ベース２の凹状部２ａ内に配設された摘み部材５に連結されている。なお、この摘み部材５については後段で詳述する。
【００２０】
前記スライダー本体３Ｂは、図３に示されるように、内部に複数の補強板３ｅ、３ｅを有する中空のロッド状部材であり、下端部に落し棒４が一体的に連設されている。また、前記ベース２の下端部には落し棒４側に突出するガイド通孔部２ｇが形成され、前記スライダー本体３Ｂ及び落し棒４の上下動をガイドするようになっている。前記スライダー本体３Ｂと落し棒４との連結は、前記スライダー本体３Ｂの下面にボス部３ｆを形成しておき、落し棒４の上端部を前記ボス部３ｆに嵌合させた状態でピン２１を両者間に貫通させ固定するようにしている。この場合、前記連結部の下方側には、落し棒４の内外面を夫々支持する保持壁３ｇ、３ｈが形成され、前記落し棒４がぐらつくことがないように堅固に支持されている。なお、門扉３０Ｂの下端部には、貫通孔１ｄが形成されており、前記落し棒４が前記貫通孔１ｄより出没自在となっている。
【００２１】
一方、前記スライダー３の施錠部３Ａと連結部材６を介して連結されるとともに、ベース２の凹状部２ａ内に配設された摘み部材５は、図６に示されるように、前記連結部材６と支軸１１によって連結された第１摘み部材８と、前記ベース２と第１摘み部材８との間に配設され上下方向に所定範囲でスライド可能とされる第２摘み部材９とから構成されている。前記第１摘み部材８は、前記連結部材６の先端が嵌入される窪み孔８ａを有し、両者を貫通する支軸１１によって連結部材６と連結されたキャップ状部材で、施錠部３Ａ側の面、すなわち第２摘み部９との接触面には第１段部８ｂと第２段部８ｃとからなる１段の段状面が形成されている。この段状部は相対的に下部側の第２段部８ｃが施錠部３Ａ側に突出している。
【００２２】
他方、前記第２摘み部材９は、中央部に前記連結部材６が貫通する縦長の貫通孔９ａを有するとともに、上下部にそれぞれ掴み部９ｂ、９ｃを有する縦断面形状がコ字状の部材であり、前記ベース２と第１摘み部材８との間に介在されて配置され、前記縦長貫通孔９ａの範囲内で上下方向にスライド可能となっている。前記第１摘み部材８との接触面には、第１乗上げ段部９ｄ、第２乗上げ段部９ｅ、第３乗上げ段部９ｆからなる２段の段状面が形成されている。
【００２３】
また、同図に示されるように、前記第２摘み部材９のベース２側対向面には係合凹部９ｇが形成され、ベース凹状部２ａ内の上部に形成された係合突部２ｈに対して係合することにより、摘み部材５を上部側位置に引き上げた際、落下しないように保持するようになっている。
【００２４】
以下、上記上げ落し錠１の施錠／解錠操作について詳述する。
前記他方側門扉３０Ｂを開閉可能とする場合には、図６に示されるように、摘み部材５をベース２の上部側に引上げ、第２摘み部材９の係合凹部９ｇをベース２の係合突部２ｈに係合させることにより、落し棒４が上部側位置に保持される。この状態では、第１摘み部材８の第１段部８ｂ、第２段部８ｃはそれぞれ第２摘み部材９の第２乗上げ段部９ｅ、第３乗上げ段部９ｆに位置し、施錠ブロック７はバネ部材１０による付勢力によってベース２から離間している状態、すなわちベース２に形成された第１噛合部２ｃ、２ｄと施錠ブロック７の第２噛合部７ｄ、７ｅとが離間している状態にある。
【００２５】
この状態から門扉３０Ｂの施錠を成す場合には、第２摘み部材９を掴み、そのまま下方側に引き下げるだけで施錠が成されるようになっている。先ず、第２摘み部材９に与えられた下方向の作用力により前記ベース２の係合突部２ｈに対する係合が解除され、スライダー３は落し棒４と共に下方向に移動する。その後、落し棒４の下端が地面に埋設された受け部材３３に対して当接すると、スライダー３及び落し棒４はそれ以上下降しないが、更に第２摘み部材９のみを移動可能な分だけ下降させるようにする。すると、図７に示されるように、第２摘み部材９の第１乗上げ段部９ｄ、第２乗上げ段部９ｅが第１摘み部材８側に潜入し、第１摘み部材の第１段部８ｂ、第２段部８ｃが第２摘み部材９の第１乗上げ段部９ｄ、第２乗上げ段部９ｅに夫々乗上がり、第１摘み部材８が符号Ｆで示すように、外側方向に移動するため、施錠ブロック７がバネ部材１０の付勢力に抗してベース２側に引き寄せられ、施錠ブロック７の第２噛合部７ｄ、７ｅがベース２の第１噛合部２ｃ、２ｄに噛み合うことによりスライダー３が移動不能に施錠される。
【００２６】
その後、再び上げ落し錠１の施錠を解除したい場合には、第２摘み部材９を上方側に引き上げるだけの操作で解錠を成すことができる。即ち、第２摘み部材９を上方に引上げようと力を加えても、スライダー３は施錠部３Ａがベース２と噛合しているため移動することはなく、その結果、第１摘み部材８も移動不能に保持されるため、第２摘み部材９のみが上方に移動される。そして、第２摘み部材９が上方側にスライドされると、図６に示されるように、第１摘み部材８の第１段部８ｂ、第２段部８ｃはそれぞれ第２摘み部材９の第２乗上げ段部９ｅ、第３乗上げ段部９ｆに位置するようになり、施錠ブロック７はバネ部材１０による付勢力によってベース２から離間する状態となる。その状態のまま前記第２摘み部材９を引上げ、スライダー３を上方に移動させることにより解錠を成し、上部位置にて第２摘み部材９の係合凹部９ｇをベース２の係合突部２ｈに係合させることにより、スライダー３及び落し棒４を上部側位置に保持するようにする。なお、この解錠状態時に、第１摘み部材８を片手で保持したまま、第２摘み部材９を下方にスライドさせて施錠ブロック７をベース２側に引寄せ、施錠ブロック７の第２噛合部７ｄ、７ｅをベース２の第１噛合部２ｃ、２ｄに噛み合わせ、スライダー３及び落し棒４を上部側位置にロックした状態で堅固に保持するようにしてもよい。
【００２７】
ところで、上記形態例では第１摘み部材８、第２摘み部材９のそれぞれに段部８ｂ・８ｃ、乗上げ段部９ｄ〜９ｆを形成し、施錠時および解錠時の状態時共に、第１摘み部材８が安定保持されるようにしたが、第１摘み部材８の接触面を平面とし、第２摘み部材９の側にのみ乗上げ段部を形成するようにしてもよい。但し、この場合は施錠時に第１摘み部材８の片側部分（相対的に下側部分）が第２摘み部材９の面から離間することになる。
【００２８】
また、上記例ではスライダー３内に施錠ブロック７を配設し、この施錠ブロック７が解錠時はベース２と離間し、施錠時はベース２の第１噛合部２ｃ、２ｄと噛み合うようにしたが、スライダー３を直接、摘み部材５の操作によってベース２側に引寄せ、第１噛合部２ｃ、２ｄと噛合させるようにしてもよい。但し、この場合は、スライダー３の上下移動時にガタ付きが感じられるようになるとともに、噛合部同士の引っ掛かりが感じられるようになる。
【００２９】
【発明の効果】
以上詳説のとおり本発明によれば、落し棒を任意の下降位置で施錠可能となるとともに、落し棒の施錠時および解錠時等における操作が非常に簡単で済むようになる。
【図面の簡単な説明】
【図１】両開き式門扉３０への適用例図である。
【図２】本発明に係る上げ落し錠１の全体斜視図である。
【図３】その縦断面図である。
【図４】図３のＩＶ−ＩＶ線矢視図である。
【図５】図３のＶ−Ｖ線矢視図である。
【図６】上げ落し錠１の解錠状態を示す摘み部５の要部拡大縦断面図である。
【図７】上げ落し錠１の施錠状態を示す摘み部５の要部拡大縦断面図である。
【図８】従来の上げ落し錠５０の施錠構造を示す要部拡大縦断面図である。
【符号の説明】
１…上げ落し錠、２…ベース、２ａ…凹状部、２ｂ…スリット状孔、２ｃ・２ｄ…第１噛合部、３…スライダー、４…落し棒、５…摘み部材、６…連結部材、７…施錠ブロック、８…第１摘み部材、８ｂ…第１段部、８ｃ…第２段部、９…第２摘み部材、９ｄ…第１乗上げ段部、９ｅ…第２乗上げ段部、９ｆ…第３乗上げ段部、１０…バネ部材
【図１】
2004027621.tif 000003
【図２】
2004027621.tif 000004
【図３】
2004027621.tif 000005
【図４】
2004027621.tif 000006
【図５】
2004027621.tif 000007
【図６】
2004027621.tif 000008
【図７】
2004027621.tif 000009
【図８】
2004027621.tif 000010